(57)【要約】【課題】各物品の搬送先を明確にすると共に、物品管理の自動化を実現した搬送先情報記録タグ及び物品搬送管理システムを提供する。【解決手段】この物品搬送管理システム７０は、例えば図３に記載の搬送先情報記録タグ６０と、物品に関する情報が記録されたＲＦタグ２００を取り付けた複数の物品４３と、複数の物品４３及び搬送先情報記録タグ６０を搬送するカート（搬送手段）４２と、カート４２が通過したときに搬送先情報記録タグ６０及びＲＦタグ２００と電波のやりとりを行なうゲートアンテナ４０と、搬送先情報及び各物品４３に関する情報を読み書きするリーダライタ１００と、リーダライタ１００を制御するＰＣ（制御手段）５０と、を備えて構成されている。【選択図】図６
2008094503.tif 000002
【特許請求の範囲】
【請求項１】
取付け対象となる物品に関する特定情報を記録した非接触情報記録媒体と、該非接触情報記録媒体を支持したタグ本体と、該タグ本体の適所に備えられ前記特定情報を視認可能に表示する表示部と、を備えたことを特徴とする特定情報記録用タグ。
【請求項２】
取付け対象となる物品の搬送先情報を記録した非接触情報記録媒体と、該非接触情報記録媒体を支持したタグ本体と、該タグ本体の適所に備えられ前記搬送先情報を視認可能に表示する搬送先表示部と、を備えたことを特徴とする搬送先情報記録タグ。
【請求項３】
前記タグ本体の適所に取り付け具を備えたことを特徴とする請求項２に記載の搬送先情報記録タグ。
【請求項４】
前記取り付け具は、磁気部材であることを特徴とする請求項３に記載の搬送先情報記録タグ。
【請求項５】
前記搬送先表示部は、前記タグ本体に着脱自在に構成されていることを特徴とする請求項２、３又は４に記載の搬送先情報記録タグ。
【請求項６】
前記搬送先情報を記録した非接触情報記録媒体は、読取専用の媒体により構成されていることを特徴とする請求項２、３、４又は５に記載の搬送先情報記録タグ。
【請求項７】
請求項２乃至６の何れか一項に記載の搬送先情報記録タグと、物品に関する情報が記録された非接触情報記録媒体を取り付けた物品及び前記搬送先情報記録タグを搬送する搬送手段と、前記搬送先情報及び前記物品に関する情報を読み書きするリーダライタ装置と、該リーダライタ装置を制御する制御手段と、を備え、
前記制御手段は、前記搬送手段により搬送された前記搬送先情報記録タグから搬送先情報を読み取り、該搬送先情報を前記物品に関する情報が記録された非接触情報記録媒体に記録することを特徴とする物品搬送管理システム。
【請求項８】
前記制御手段は、前記リーダライタ装置により前記搬送先情報が読み取れなかった場合、その旨を報知して前記物品に関する情報が記録された非接触情報記録媒体に記録されている搬送先情報を消去することを特徴とする請求項７に記載の物品搬送管理システム。
【請求項９】
前記制御手段は、前記物品に関する情報が記録された非接触情報記録媒体に前記搬送先情報を記録する場合、以前に記録された搬送先情報に上書きすることを特徴とする請求項７又は８に記載の物品搬送管理システム。
【発明の詳細な説明】
【技術分野】
【０００１】
本発明は、搬送先情報記録タグ及び物品搬送管理システムに関し、さらに詳しくは、物品を一括で搬送する搬送手段に、当該物品を搬送する搬送先情報を記録した搬送先情報記録タグを取り付けることにより、各物品と搬送先を関連付ける搬送先情報記録タグ及び物品搬送管理システムに関するものである。
【背景技術】
【０００２】
近年、ＩＣカードと呼ばれる新しい情報記録媒体が、市場に広く出回っている。ＩＣカードとは、クレジットカード、銀行カード、ポイントカード等のカード状あるいはシート状の形状を備え、カード内、或いはカード上にＩＣが組み込まれている読み書き可能な記録媒体を総称した名称である。特に、非接触型ＩＣカードは、例えば、鉄道等の交通機関の駅構内への入退場時に使用される定期券、プリペイドカードとして多く使用されている。また、非接触型ＩＣカードの一種として、構造的には非接触型ＩＣカードと全く同様であり、且つ識別番号及び履歴情報等に関する管理情報を記録したＲＦ（Radio Frequency ）タグがあり、このＲＦタグの一種として郵便物あるいは荷物等を分類管理するために使用される非接触型ＲＦタグ（以下、単にＲＦタグと記す）が知られている。
【０００３】
例えば、図９に示すように、カート４２に搭載された複数の物品４３を同じ搬送先に搬送する場合、各物品には物品の管理情報が記録されたＲＦタグ２００が取り付けられている。そしてＲＦタグ２００に搬送先の情報を記録するために、カート単位で矢印Ａの方向に搬送してゲート４０を通過する際に、人手によりＰＣ５０を操作して、ＲＦタグ２００に記録されている物品情報に基づいて搬送先情報を各ＲＦタグ２００に記録していた。或いは、カート単位に搬送先を記載した紙を貼付するだけで、ＲＦタグ２００には搬送先を記録しない場合もある。
図１０はＲＦタグ２００には搬送先を記録するときの動作を説明するフローチャートである。予め各物品の管理情報を物品タグ２００に記録して用意しておき、その物品タグ２００を各物品に取り付ける（Ｓ１１）。そして、同じ搬送先の物品を１つのカート４２に搭載して矢印Ａの方向に搬送する。カート４２がゲート４０に到達すると（Ｓ１２）、操作者はＰＣ５０の表示部を見て、当該物品がどの搬送先であるかを確認し、その搬送先を操作部から入力してリーダライタ１００により全ての物品タグ２００に搬送先情報を書き込む（Ｓ１３）。
【０００４】
従来技術として特許文献１には、物品に付されて該物品に係る管理情報を記憶したＲＦＩＤタグと、ＲＦＩＤタグに対して管理情報の読み書きを行うリーダライタと、リーダライタを制御する制御手段と、を備え、制御手段は、リーダライタにより読み取られた管理情報の中から識別コードを関連付けて記憶し、関連付けられた識別コードをＲＦＩＤタグの記憶領域に記憶することにより、当該ＲＦＩＤタグが付された物品同士の関連付けを行う物品管理システムについて開示されている。
【特許文献１】特開２００５−２７２１３６公報
【発明の開示】
【発明が解決しようとする課題】
【０００５】
しかしながら、図９に示す従来の方法では、カート４２により搬送された物品群４３の搬送先を人手により確認して入力し、物品タグ２００に記録しなければならず、操作が煩雑であると共に、人為的なミスにより搬送先を間違って記録する虞があるといった問題がある。また、搬送先を記載した紙を貼付する場合は、その紙が紛失したり、物品がカート４２から下ろされた後、物品の搬送先が不明になるといった問題がある。
また、特許文献１に開示されている従来技術は、ＰＣが書類同士の関連付けを行なうため、一旦各書類の識別コードを全て記憶し、それらの識別コードにホルダの識別コードを関連付け、且つお互いの識別コードをタグに記録しなければならず、ＰＣの動作が煩雑になるといった問題がある。
【０００６】
本発明は、かかる課題に鑑みてなされたものであり、同一の搬送先に搬送する物品に当該搬送先情報を関連付けるために、物品群単位に１つの搬送先情報記録タグを備え、その搬送先情報記録タグに記録された搬送先情報を自動的に読み込んで当該物品群の物品タグに一括して記録することにより、各物品の搬送先を明確にすると共に、物品管理の自動化を実現した搬送先情報記録タグ及び物品搬送管理システムを提供することを目的とする。
【課題を解決するための手段】
【０００７】
本発明はかかる課題を解決するために、請求項１は、取付け対象となる物品に関する特定情報を記録した非接触情報記録媒体と、該非接触情報記録媒体を支持したタグ本体と、該タグ本体の適所に備えられ前記特定情報を視認可能に表示する表示部と、を備えたことを特徴とする。
本発明の特定情報記録用タグは、タグ本体に支持した非接触情報記録媒体に、取付け対象となる物品に関する特定情報を記録しておき、その特定情報が視認可能な表示部を備えて一体構成としたものである。これにより、特定情報が目視により確認できると共に、電気信号として特定情報を管理することができる。
【０００８】
請求項２は、取付け対象となる物品の搬送先情報を記録した非接触情報記録媒体と、該非接触情報記録媒体を支持したタグ本体と、該タグ本体の適所に備えられ前記搬送先情報を視認可能に表示する搬送先表示部と、を備えたことを特徴とする。
一般に製造メーカ等では、物品を保護するためと、荷姿形状の統一を図るために通い箱に入れて搬送するのが通例となっている。そして、それらの通い箱は搬送先単位にカート等に搭載されて集荷場に集荷される。本発明はカート単位に搬送先が決まっている場合に、その物品の搬送先を指示する搬送先情報記録タグをカートに搭載された物品上に取り付けるものである。そして、搬送先情報を電気信号として読み取れるために非接触情報記録媒体と、搬送先情報記録タグが搬送先表示機能を兼ねるように本体に搬送先表示部と、を備えるものである。これにより、搬送先が目視により確認できると共に、電気信号として搬送先情報を管理することができる。
【０００９】
請求項３は、前記タグ本体の適所に取り付け具を備えたことを特徴とする。
搬送先情報記録タグは、搬送先表示部が視認しやすい場所に取り付けた方が好ましい。そこで本発明では、タグ本体の適所に取り付け具を備え、その取り付け具により搬送先情報記録タグを搬送手段の適所に取り付けるものである。これにより、搬送先表示部が視認しやすくなる。
請求項４は、前記取り付け具は、磁気部材であることを特徴とする。
カートは堅牢な金属により構成されている場合が多い。そこで本発明では、搬送先情報記録タグをその金属部に吸着させるために、取り付け具を磁気部材により構成するものである。これにより、カートが金属で構成されている場合に、任意の場所に搬送先情報記録タグを取り付けることができる。
【００１０】
請求項５は、前記搬送先表示部は、前記タグ本体に着脱自在に構成されていることを特徴とする。
搬送先情報記録タグは非接触情報記録媒体に記録されている搬送先情報を変更することにより、何度でも使用することができる。そのとき、搬送先情報と搬送先表示部の内容が一致していることが必要である。そこで本発明では、搬送先情報を変更したときに搬送先表示部の内容を変更するために、搬送先表示部自体を着脱自在な構成とするものである。これにより、搬送先情報と搬送先表示部の内容を常に一致させることが容易に可能となる。
請求項６は、前記搬送先情報を記録した非接触情報記録媒体は、読取専用の媒体により構成されていることを特徴とする。
例えば、搬送先が固定されている場合、非接触情報記録媒体に記録されている搬送先情報は、固定的に書き換えができないようにするのが安全である。そこで本発明では、非接触情報記録媒体を読取専用の媒体により構成することにより、行き先情報を間違って書き換えられる事故を未然に防止するものである。
【００１１】
請求項７は、請求項２乃至６の何れか一項に記載の搬送先情報記録タグと、物品に関する情報が記録された非接触情報記録媒体を取り付けた物品及び前記搬送先情報記録タグを搬送する搬送手段と、前記搬送先情報及び前記物品に関する情報を読み書きするリーダライタ装置と、該リーダライタ装置を制御する制御手段と、を備え、前記制御手段は、前記搬送手段により搬送された前記搬送先情報記録タグから搬送先情報を読み取り、該搬送先情報を前記物品に関する情報が記録された非接触情報記録媒体に記録することを特徴とする。
本発明の前提条件として、同じ搬送手段により搬送された物品の搬送先は全て同じであることである。従って、搬送手段により搬送された搬送先情報記録タグに記録された搬送先情報をリーダライタ装置により読み取り、その搬送先情報を無条件に物品に関する情報が記録された非接触情報記録媒体に記録するものである。この結果、各物品に取り付けられた非接触情報記録媒体には同じ搬送先情報が記録されて物品同士が関連付けされる。これにより、搬送手段により搬送された搬送先情報記録タグの搬送先情報により物品同士が自動的に関連付けられる。
【００１２】
請求項８は、前記制御手段は、前記リーダライタ装置により前記搬送先情報が読み取れなかった場合、その旨を報知して前記物品に関する情報が記録された非接触情報記録媒体に記録されている搬送先情報を消去することを特徴とする。
搬送手段に搬送先情報記録タグを取り付けるのは人為的に行なわれる。従って、取り付けるのを忘れる可能性もある。また、搬送先情報記録タグが故障して内部に記録された搬送先情報がリーダライタ装置により正しく読み取れない場合もある。また、物品に関する情報が記録された非接触情報記録媒体には、前回に記録された搬送先情報が記録されている可能性がある。そのようなとき、搬送先情報がリーダライタ装置により正しく読み取れない場合、前回に記録された搬送先情報が残ったままだと、間違った搬送先に搬送される虞が発生する。そこで本発明では、これを回避するために、搬送先情報がリーダライタ装置により正しく読み取れない場合は、非接触情報記録媒体に記録されている搬送先情報を消去するものである。これにより、間違った搬送先に物品が搬送されるのを未然に防止することができる。
【００１３】
請求項９は、前記制御手段は、前記物品に関する情報が記録された非接触情報記録媒体に前記搬送先情報を記録する場合、以前に記録された搬送先情報に上書きすることを特徴とする。
物品に関する情報が記録された非接触情報記録媒体には、前回に記録された搬送先情報が記録されている可能性がある。従って、新しい搬送先情報を記録する場合は、前の情報が残らないようにする必要がある。そこで本発明では、前の情報に新しい搬送先情報を上書きするものである。これにより、必ず新しい搬送先情報に書き換えることができる。
【発明の効果】
【００１４】
本発明によれば、請求項１乃至６の何れか一項に記載の搬送先情報記録タグと、物品に関する情報が記録された非接触情報記録媒体を取り付けた物品及び搬送先情報記録タグを搬送する搬送手段と、搬送先情報及び物品に関する情報を読み書きするリーダライタ装置と、リーダライタ装置を制御する制御手段と、を備え、制御手段は、搬送手段により搬送された搬送先情報記録タグから搬送先情報を読み取り、搬送先情報を物品に関する情報が記録された非接触情報記録媒体に記録するので、各物品の搬送先を明確にすると共に、物品管理の自動化を実現することができる。
【発明を実施するための最良の形態】
【００１５】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なリーダライタの構成を示すブロック図である。このリーダライタ１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、アンテナ９から受信した搬送波から２値化データに変換する検波復調器８と、図示しないＲＦタグとの電力用搬送波とデータの授受をするアンテナ９とを備えて構成されている。
【００１６】
次に、本構成によるリーダライタ１００の動作を説明する前に、ＲＦタグ（非接触情報記録媒体）の構成を先に説明しておく。図２は、ＲＦタグの構成を示すブロック図である。このＲＦタグ２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦタグ２００の全体の動作を制御する制御回路２６から構成されている。
【００１７】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦタグ２００に供給する電力供給用信号と、ポーリング信号を交互に電力増幅器７から送信する。その信号は、アンテナ９から電磁波として外部に放射される。次に、ＲＦタグ２００がリーダライタ１００に近接すると、アンテナ２０が電力供給用信号を受信し、電力生成回路２２によりその搬送波を整流して直流電力に変換して、ＲＦタグ２００内の全ての回路に供給する。電力を供給されて制御回路２６が駆動すると、メモリ装置２３に格納されたプログラムに従って、制御を開始する。
【００１８】
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がアンテナ９で受信して、検波復調器８で２値化コードに変換し、制御回路２により解析してＲＦタグ２００が規格に合致したＲＦタグであると認識する。それにより、以後リーダライタ１００とＲＦタグ２００の間でポーリングが行われる。
【００１９】
図３は本発明の第１の実施形態に係る搬送先情報記録タグの外観構成図である。この搬送先情報記録タグ６０は、物品の搬送先情報を記録したＲＦタグ（非接触情報記録媒体）２００（図２参照）と、ＲＦタグ２００を支持したタグ本体３１と、タグ本体３１の表面に備えられた搬送先表示板（搬送先表示部）３２と、透明カバー３３と、を備えて構成されている。尚、本実施形態では、搬送先表示板３２により、ＲＦタグ２００に記録された搬送先を目視により確認できるように表示されている（本例では「東京」と表示されている）。また、搬送先が変更になった場合に、搬送先表示板３２の内容を変更するために、搬送先表示板３２が着脱可能なように、例えば、ケース状の溝に差し込み可能な構成とし、取り出し溝３５を設けて取出しが容易な構成としている。また、タグ本体３１はＲＦタグ２００と図示しないリーダライタとの電波を妨害しないために、金属以外の樹脂部材等で構成されている。また、本実施形態では、ＲＦタグ２００をタグ本体３１に埋め込んだ構成としているが、着脱可能な構成としても構わない。尚、本実施形態は、ＲＦタグ２００に搬送先情報を記録した搬送先情報記録タグとして説明したが、搬送先情報に限らず特定情報を記録して、物品と特定情報を関連付けるようにしても構わない。例えば、特定情報として物品の価格、産地、或いはこれらの物品が検査規格からはずれた不合格品である旨の情報等が考えられる。
【００２０】
即ち、一般に製造メーカ等では、物品を保護するためと、荷姿形状の統一を図るために通い箱に入れて搬送するのが通例となっている。そして、それらの通い箱は搬送先単位にカート等に搭載されて集荷場に集荷される。本実施形態ではカート単位に搬送先が決まっている場合に、そのカートの搬送先を指示する搬送先情報記録タグ６０をカートに搭載された物品上に載置するものである。そして、搬送先情報を電気信号として読み取れるためにＲＦタグ２００と、搬送先情報記録タグ６０が搬送先表示機能を兼ねるようにタグ本体３１に搬送先表示板３２と、を備えるものである。これにより、搬送先が目視により確認できると共に、電気信号として搬送先情報を管理することができる。また、搬送先情報記録タグ６０はＲＦタグ２００に記録されている搬送先情報を変更することにより、何度でも使用することができる。そのとき、搬送先情報と搬送先表示板３２の内容が一致していることが必要である。そこで本実施形態では、搬送先情報を変更したときに搬送先表示板３２の内容を変更するために、搬送先表示板自体を着脱自在な構成とするものである。これにより、搬送先情報と搬送先表示板３２の内容を常に一致させることが容易に可能となる。
【００２１】
図４は本発明の第２の実施形態に係る搬送先情報記録タグの外観構成図である。同じ構成要素には図３と同じ参照番号を付し説明を省略する。図４が図３と異なる点は、タグ本体３１の裏面両側に磁気シート（磁気部材：取り付け具）３６を備えた点である。即ち、カート等は堅牢な金属により構成されている場合が多い。そこで本実施形態では、搬送先情報記録タグ６１をその金属部に吸着させるために、磁気シート３６を備えたものである。これにより、カートが金属で構成されている場合に、任意の場所に搬送先情報記録タグ６１を取り付けることができる。
【００２２】
図５は本発明の第３の実施形態に係る搬送先情報記録タグの外観構成図である。同じ構成要素には図３と同じ参照番号を付し説明を省略する。図５が図３と異なる点は、タグ本体３１の裏面上部に取り付け金具３７を備えた点である。即ち、カートが金属により構成されていない場合は、磁気部材以外の方法によりカートに取り付ける必要がある。そこで本実施形態では、取り付け金具３７をタグ本体３１の裏面上部に備えるものである。これにより、カートの材質に無関係に搬送先情報記録タグ６２を取り付けることができる。
【００２３】
以上の説明では、ＲＦタグ２００の内部に記録されている搬送先情報は、リーダライタにより書き換えが可能である。しかし、例えば、搬送先が固定されている場合、ＲＦタグ２００に記録されている搬送先情報は、固定的に書き換えができないようにするのが安全である。そこで、ＲＦタグ２００を読取専用の媒体により構成することにより、行き先情報を間違って書き換えられる事態を未然に防止することができる。
【００２４】
図６は本発明の一実施形態に係る物品搬送管理システムの概略構成図である。この物品搬送管理システム７０は、例えば図３に記載の搬送先情報記録タグ６０と、物品に関する情報が記録されたＲＦタグ２００を取り付けた複数の物品４３と、複数の物品４３及び搬送先情報記録タグ６０を搬送するカート（搬送手段）４２と、カート４２が通過したときに搬送先情報記録タグ６０及びＲＦタグ２００と電波のやりとりを行なうゲートアンテナ４０と、搬送先情報及び各物品４３に関する情報を読み書きするリーダライタ１００と、リーダライタ１００を制御するＰＣ（制御手段）５０と、を備えて構成されている。尚、本実施形態では搬送先情報記録タグとして図３の物品に載置する搬送先情報記録タグ６０を使用しているが、図４、図５に記載の搬送先情報記録タグ６１、６２でも構わない。また、ゲートアンテナ４０には、アラームを報知する報知器４１が備えられている。
【００２５】
次に、本実施形態の動作について図６を参照して説明する。例えば、予め搬送先情報が異なる複数の搬送先情報記録タグ６０（搬送先がＰ、Ｑ、Ｒ、Ｓ、Ｔ、Ｕ）を用意しておき、まずカート４２に積載された物品４３が全て搬送先がＰである場合、搬送先情報Ｐを記録した搬送先情報記録タグ６０を物品４３の上に載置する。このとき、各物品に取り付けられたＲＦタグ２００には、各物品に関する情報（例えば、物品名、製造月日等）が記録されている。この状態で、図示しない作業者は、カート４２をゲートアンテナ４０まで搬送する。リーダライタ１００は、カート４２が近接したことを検知して動作するようにしてもよいし、常に電波を放射するようにしてもよい。いずれにしても、カート４２がゲートアンテナ４０に近接すると、リーダライタ１００は、搬送先情報記録タグ６０から搬送先情報Ｐを読み取りＰＣ５０に伝える。ＰＣ５０は続けてリーダライタ１００に対して各ＲＦタグ２００と交信しながら、搬送先情報Ｐを全てのＲＦタグ２００に記録する。
【００２６】
このように本発明の前提条件として、同じカート４２により搬送された物品４３の搬送先は全て同じであることである。従って、カート４２により搬送された搬送先情報記録タグ６０に記録された搬送先情報Ｐをリーダライタ１００により読み取り、その搬送先情報Ｐを無条件に物品４３に関する情報が記録されたＲＦタグ２００に記録するものである。この結果、各物品４３に取り付けられたＲＦタグ２００には同じ搬送先情報Ｐが記録されて物品４３同士が関連付けされる。これにより、カート４２により搬送された搬送先情報記録タグ６０の搬送先情報Ｐにより物品４３同士が自動的に関連付けされる。
【００２７】
また、カート４２に搬送先情報記録タグ６０を取り付けるのは人為的に行なわれる。従って、取り付けるのを忘れる可能性もある。また、搬送先情報記録タグ６０が故障して内部に記録された搬送先情報Ｐがリーダライタ１００により正しく読み取れない場合もある。また、物品４３に関する情報が記録されたＲＦタグ２００には、前回に記録された搬送先情報が記録されている可能性がある。そのようなとき、搬送先情報Ｐがリーダライタ１００により正しく読み取れない場合、前回に記録された搬送先情報が残ったままだと、間違った搬送先に搬送される虞が発生する。そこで本実施形態では、これを回避するために、搬送先情報Ｐがリーダライタ１００により正しく読み取れない場合は、ＲＦタグ２００に記録されている搬送先情報を消去するものである。これにより、間違った搬送先に物品４３が搬送されるのを未然に防止することができる。
また、物品に関する情報が記録されたＲＦタグ２００には、前回に記録された搬送先情報が記録されている可能性がある。従って、新しい搬送先情報Ｐを記録する場合は、前の情報が残らないようにするために、前の情報に新しい搬送先情報Ｐを上書きするものである。これにより、必ず新しい搬送先情報Ｐに書き換えることができる。
【００２８】
図７は本発明の物品搬送管理システムによりＲＦタグ内の搬送先情報が更新される様子を説明する図である。図の左側がゲートアンテナ４０を通過する前の状態を表し、図の右側がゲートアンテナ４０を通過した後の状態を表している。また、物品情報６５は、同一のカート４２で搬送される１回目をｎ＝１と表し、夫々の物品をＡ−１〜ｄ−１として表す。この例では６回目（ｎ＝６）までについて説明する。また、搬送先情報６６には、搬送先情報がアルファベットで表示されている。
まず、１回目の搬送状態の動作について説明する。ゲートアンテナ４０を通過前の物品情報６５は、Ａ−１、Ｂ−１、Ｃ−１、Ｄ−１、ａ−１、ｂ−１、ｃ−１、ｄ−１であり、搬送先情報６６には、前回に記録された搬送先情報（Ｆ、Ｅ、Ｐ、Ｘ、Ｙ、Ｙ、Ｙ、Ｃ）が記録されている。その後、カート４２がゲートアンテナ４０に近接すると、リーダライタ１００は搬送先情報記録タグ６０に記録されている搬送先情報Ｐを読み取り、その情報を搬送先情報６８に上書きする。その結果、物品情報６７は同じで、前回に記録された搬送先情報（Ｆ、Ｅ、Ｐ、Ｘ、Ｙ、Ｙ、Ｙ、Ｃ）６８は新たにＰに書きかえられる。
【００２９】
次に２回目の搬送状態の動作について説明する。２回目は搬送先情報記録タグ６０の搬送先がＱであるので、搬送先情報記録タグ６０を変更する。当然その搬送先表示板には搬送先Ｑが表示されている。そしてゲートアンテナ４０を通過前の物品情報６５は、Ａ−２、Ｂ−２、Ｃ−２、・・・ｄ−２であり、搬送先情報６６には、前回に記録された搬送先情報（Ｇ、Ｈ、Ｐ・・・Ｘ）が記録されている。その後、カート４２がゲートアンテナ４０に近接すると、リーダライタ１００は搬送先情報記録タグ６０に記録されている搬送先情報Ｑを読み取り、その情報を搬送先情報６８に上書きする。その結果、物品情報６７は同じで、前回に記録された搬送先情報（Ｇ、Ｈ、Ｐ・・・Ｘ）は新たにＱに書きかえられる。以下、同様にして５回目まで終了し、６回目に異常動作が発生したと仮定して説明する。これまでの動作は、搬送先情報記録タグ６０に記録されている搬送先情報が正しく読み取られた場合であるが、例えば、６回目で搬送先情報記録タグ６０を物品４３に載置し忘れたとすると、ゲートアンテナ４０通過前の物品情報６５は、Ａ−６、・・・ｄ−６であり、搬送先情報６６には、前回に記録された搬送先情報（Ｊ、・・・Ｋ）が記録されている。その後、カート４２がゲートアンテナ４０に近接すると、搬送先情報記録タグ６０の情報が読み取れないため、報知器４１によりアラームを報知して、搬送先情報６６を全て消去する。その結果、物品情報６７は同じで、前回に記録された搬送先情報（Ｊ、・・・Ｋ）は消去され、間違った搬送先に搬送されるのを未然に防止することができる。
【００３０】
図８は本発明一実施形態に係る物品搬送管理システムの動作を説明するフローチャートである。図６を参照して説明する。予め搬送先情報が異なる複数の搬送先情報記録タグ６０（搬送先がＰ、Ｑ、Ｒ、Ｓ、Ｔ、Ｕ）を用意しておき、搬送先情報を各搬送先情報記録タグ６０に記録する（Ｓ１）。次に、カート４２に積載された物品４３の搬送先が全てＰである場合、搬送先情報Ｐを記録した搬送先情報記録タグ６０を物品４３の上に載置する（Ｓ２）。このとき、各物品に取り付けられたＲＦタグ２００には、各物品に関する情報（例えば、物品名、製造月日等）が記録されている。この状態で、図示しない作業者は、カート４２をゲートアンテナ４０まで搬送する（Ｓ３）。リーダライタ１００は、カート４２が近接したことを検知して動作するようにしてもよいし、常に電波を放射するようにしてもよい。いずれにしても、カート４２がゲートアンテナ４０に近接すると、リーダライタ１００は、搬送先情報記録タグ６０から搬送先情報Ｐを読み取りＰＣ５０に伝え、ＰＣ５０が正しく読み取られたかをチェックする（Ｓ４）。正しく読み取ったことを確認すると（Ｓ４でＹＥＳ）、ＰＣ５０は続けてリーダライタ１００に対して各ＲＦタグ２００と交信しながら、搬送先情報Ｐを全てのＲＦタグ２００に記録する（Ｓ５）。一方、ステップＳ４で搬送先情報記録タグ６０から搬送先情報Ｐが読み取れない場合（Ｓ４でＮＯ）、報知器４１によりアラームを報知して（Ｓ６）、ＲＦタグ２００に記録されている搬送先情報を全て消去する（Ｓ７）。
【図面の簡単な説明】
【００３１】
【図１】一般的なリーダライタの構成を示すブロック図である。
【図２】ＲＦタグの構成を示すブロック図である。
【図３】本発明の第１の実施形態に係る搬送先情報記録タグの外観構成図である。
【図４】本発明の第２の実施形態に係る搬送先情報記録タグの外観構成図である。
【図５】本発明の第３の実施形態に係る搬送先情報記録タグの外観構成図である。
【図６】本発明の一実施形態に係る物品搬送管理システムの概略構成図である。
【図７】本発明の物品搬送管理システムによりＲＦタグ内の搬送先情報が更新される様子を説明する図である。
【図８】本発明一実施形態に係る物品搬送管理システムの動作を説明するフローチャートである。
【図９】従来の物品搬送管理システムの概略構成図である。
【図１０】従来の物品搬送管理システムの動作を説明するフローチャートである。
【符号の説明】
【００３２】
３１  タグ本体、３２  搬送先表示板、３３  透明カバー、３５  取り出し溝、４０  ゲートアンテナ、４２  カート、４３  物品、５０  ＰＣ、６０  搬送先情報記録タグ、７０  物品搬送管理システム、１００  リーダライタ、２００  ＲＦタグ
【図１】
2008094503.tif 000003
【図２】
2008094503.tif 000004
【図３】
2008094503.tif 000005
【図４】
2008094503.tif 000006
【図５】
2008094503.tif 000007
【図６】
2008094503.tif 000008
【図７】
2008094503.tif 000009
【図８】
2008094503.tif 000010
【図９】
2008094503.tif 000011
【図１０】
2008094503.tif 000012